(57)【要約】【課題】外装部材を大きく変形させることがなく装着できるカメラ。【解決手段】第１の面と周壁との第１接続部、または第２の面と周壁との第２接続部の少なくとも一方より周壁の一部を突出させたカメラ本体と、第１接続部の近傍に一方の端部が位置しカメラ本体に装着する外装部材と、を備え、第１接続部の近傍に位置する外装部材の内壁の端部から、第２接続部の近傍に位置する外装部材の内壁までの最小寸法をＤ１ｍｉｎとし、第１接続部の近傍に位置する外装部材の内壁の端部から、周壁を被覆する外装部材の内壁までの最大寸法をＤ２ｍａｘとし、周壁を被覆する外装部材の内壁における、第１の面及び第２の面と交わる方向の最大寸法をＤ３ｍａｘとしたとき、下記の式を満足すること。Ｄ１ｍｉｎ＜Ｄ２ｍａｘ，Ｄ１ｍｉｎ＜Ｄ３ｍａｘ，Ｄ２ｍａｘ＜Ｄ３ｍａｘ【選択図】        図３
2004252136.tif 000002
【特許請求の範囲】
【請求項１】
第１の面及び該第１の面と対向する第２の面を略曲面で形成した周壁で接続し、前記第１の面と前記周壁との接続部である第１接続部、または前記第２の面と前記周壁との接続部である第２接続部の少なくとも一方より前記周壁の一部を突出させたカメラ本体と、
前記第１接続部の近傍に一方の端部が位置し、少なくとも前記周壁の一部を被覆して前記カメラ本体に装着する外装部材と、を備え、
前記外装部材を前記カメラ本体に装着した状態での前記外装部材の厚み方向の寸法であって、
前記第１接続部の近傍に位置する前記外装部材の内壁の端部から、前記第２接続部の近傍に位置する前記外装部材の内壁までの最小寸法をＤ１ｍｉｎとし、
前記第１接続部の近傍に位置する前記外装部材の内壁の端部から、前記周壁を被覆する前記外装部材の内壁までの最大寸法をＤ２ｍａｘとし、
前記周壁を被覆する前記外装部材の内壁における、前記第１の面及び前記第２の面と交わる方向の最大寸法をＤ３ｍａｘとしたとき、下記の式を満足することを特徴とするカメラ。
Ｄ１ｍｉｎ＜Ｄ２ｍａｘ
Ｄ１ｍｉｎ＜Ｄ３ｍａｘ
Ｄ２ｍａｘ＜Ｄ３ｍａｘ
【請求項２】
前記外装部材が透明に形成されており、前記カメラ本体における前記外装部材で被覆する部所に所定の意匠が施されていることを特徴とする請求項１に記載のカメラ。
【請求項３】
第１の面及び該第１の面と対向する第２の面を略曲面で形成した周壁で接続し、前記第１の面と前記周壁との接続部である第１接続部、または前記第２の面と前記周壁との接続部である第２接続部の少なくとも一方より前記周壁の一部を突出させたカメラ本体と、
所定の意匠が施されていて、少なくとも前記周壁に曲折して付着するシート部材と、
透明に形成され、前記第１接続部の近傍に一方の端部が位置し、少なくとも前記シート部材を被覆して前記カメラ本体に装着する外装部材と、を備え、
前記外装部材を前記カメラ本体に装着した状態での前記外装部材の厚み方向の寸法であって、
前記第１接続部の近傍に位置する前記外装部材の内壁の端部から、前記第２接続部の近傍に位置する前記外装部材の内壁までの最小寸法をＤ１ｍｉｎとし、
前記第１接続部の近傍に位置する前記外装部材の内壁の端部から、前記周壁を被覆する前記外装部材の内壁までの最大寸法をＤ２ｍａｘとし、
前記周壁を被覆する前記外装部材の内壁における、前記第１の面及び前記第２の面と交わる方向の最大寸法をＤ３ｍａｘとしたとき、下記の式を満足することを特徴とするカメラ。
Ｄ１ｍｉｎ＜Ｄ２ｍａｘ
Ｄ１ｍｉｎ＜Ｄ３ｍａｘ
Ｄ２ｍａｘ＜Ｄ３ｍａｘ
【請求項４】
前記外装部材がカメラを保持するためのグリップ部材であることを特徴とする請求項１〜３の何れか１項に記載のカメラ。
【請求項５】
第１の面及び該第１の面と対向する第２の面を略曲面で形成した周壁で接続し、前記第１の面と前記周壁との接続部である第１接続部、または前記第２の面と前記周壁との接続部である第２接続部の少なくとも一方より前記周壁の一部を突出させたカメラ本体に対して、前記第１接続部の近傍に一方の端部が位置する外装部材を装着して少なくとも前記周壁の一部を被覆するカメラの外装部材装着方法において、
前記外装部材を前記カメラ本体に装着した状態での前記外装部材の厚み方向の寸法であって、
前記第１接続部の近傍に位置する前記外装部材の内壁の端部から、前記第２接続部の近傍に位置する前記外装部材の内壁までの最小寸法をＤ１ｍｉｎとし、
前記第１接続部の近傍に位置する前記外装部材の内壁の端部から、前記周壁を被覆する前記外装部材の内壁までの最大寸法をＤ２ｍａｘとし、
前記周壁を被覆する前記外装部材の内壁における、前記第１の面及び前記第２の面と交わる方向の最大寸法をＤ３ｍａｘとしたとき、下記の式を満足し、
Ｄ１ｍｉｎ＜Ｄ２ｍａｘ
Ｄ１ｍｉｎ＜Ｄ３ｍａｘ
Ｄ２ｍａｘ＜Ｄ３ｍａｘ
前記外装部材の端部を前記第１接続部若しくはその近傍に突き当てて、前記外装部材を回転させ、前記カメラ本体に装着することを特徴とするカメラの外装部材装着方法。
【請求項６】
所定の意匠が施されているシート部材を少なくとも前記周壁に曲折して付着した後、透明に形成されている前記外装部材を前記カメラ本体に装着することを特徴とする請求項５に記載のカメラの外装部材装着方法。
【請求項７】
前記外装部材がカメラを保持するためのグリップ部材であることを特徴とする請求項５又は請求項６に記載のカメラの外装部材装着方法。
【発明の詳細な説明】
【０００１】
【発明の属する技術分野】
本発明は、簡易カメラの一種であるレンズ付きフィルムユニット、フィルムカメラ、及びデジタルカメラのようなカメラに関し、特にカメラ本体に外装部材が装着されたカメラ、及びカメラの外装部材装着方法に関する。
【０００２】
【従来の技術】
近年、簡易カメラの一種であり、簡単なカメラ機能を有していて、未露光のフィルムが予め装填されており、購入後に直ちに撮影可能なレンズ付きフィルムユニットが普及している。
【０００３】
レンズ付きフィルムユニットは、装填されている１本のフィルムのみを撮影するので、安価であることを旨としている。従って、種々の撮影機能を搭載することができず、その結果、各社の製品が類似した仕様になっている。そこで、他社との差別化を求めるために、購買者への訴求力のある意匠を備えたレンズ付きフィルムユニットが求められることになり、通常のレンズ付きフィルムユニットは外観形状や色彩に意匠を凝らすのが一般的であった。
【０００４】
このような状況において、レンズ付きフィルムユニットを更に訴求力のある特異な意匠にするために、外装部材を透明に形成し、内部に設けた遮光部材に適切な意匠の印刷を施して、外装部材を透過して内部の意匠を視認できるようにしたレンズ付きフィルムユニットが提案されている（例えば、特許文献１）。
【０００５】
【特許文献１】
特開平９−１９７６２２号公報（第７頁、図５）
【０００６】
【発明が解決しようとする課題】
上記の特許文献１に記載のレンズ付きフィルムユニットによれば、従来にない特異な意匠にすることが可能になる。また、内部に設けた遮光部材の意匠を変えることにより、複数の異なった意匠のレンズ付きフィルムユニットを生産することができる。
【０００７】
しかしながら、特許文献１に記載のレンズ付きフィルムユニットにおいては、内部部材を被覆する大きな前後カバーを透明にしているので、異なる意匠に変えるために遮光部材を交換しようとしたとき、前後カバーの着脱が容易でなく、メーカーの販売部門や小売り店での作業は困難であり、メーカーの生産現場で作業することになる。また、大きな前後カバーを透明にすると、フィルムへ漏光しないように内部部材をより複雑に構成する必要があるので、レンズ付きフィルムユニットが大型化したり原価高になったりする恐れがある。
【０００８】
なお、以上の問題はレンズ付きフィルムユニットに限定されるものではなく、フィルム交換可能なフィルムカメラやデジタルカメラにおいても同様である。
【０００９】
本発明はかかる問題に鑑みてなされたものであり、カメラ本体における他の部所より厚みのある部所を潜り抜けて外装部材を装着するときに、従来の構成より外装部材が大きく変形することがないように構成し、外装部材を容易に挿脱できるようにしたカメラ及びカメラの外装部材装着方法を提案することを目的とする。
【００１０】
【課題を解決するための手段】
上記目的は下記の何れかの手段により達成される。
【００１１】
▲１▼第１の面及び該第１の面と対向する第２の面を略曲面で形成した周壁で接続し、前記第１の面と前記周壁との接続部である第１接続部、または前記第２の面と前記周壁との接続部である第２接続部の少なくとも一方より前記周壁の一部を突出させたカメラ本体と、前記第１接続部の近傍に一方の端部が位置し、少なくとも前記周壁の一部を被覆して前記カメラ本体に装着する外装部材と、を備え、前記外装部材を前記カメラ本体に装着した状態での前記外装部材の厚み方向の寸法であって、前記第１接続部の近傍に位置する前記外装部材の内壁の端部から、前記第２接続部の近傍に位置する前記外装部材の内壁までの最小寸法をＤ１ｍｉｎとし、前記第１接続部の近傍に位置する前記外装部材の内壁の端部から、前記周壁を被覆する前記外装部材の内壁までの最大寸法をＤ２ｍａｘとし、前記周壁を被覆する前記外装部材の内壁における、前記第１の面及び前記第２の面と交わる方向の最大寸法をＤ３ｍａｘとしたとき、下記の式を満足することを特徴とするカメラ。
【００１２】
Ｄ１ｍｉｎ＜Ｄ２ｍａｘ
Ｄ１ｍｉｎ＜Ｄ３ｍａｘ
Ｄ２ｍａｘ＜Ｄ３ｍａｘ
▲２▼第１の面及び該第１の面と対向する第２の面を略曲面で形成した周壁で接続し、前記第１の面と前記周壁との接続部である第１接続部、または前記第２の面と前記周壁との接続部である第２接続部の少なくとも一方より前記周壁の一部を突出させたカメラ本体と、所定の意匠が施されていて、少なくとも前記周壁に曲折して付着するシート部材と、透明に形成され、前記第１接続部の近傍に一方の端部が位置し、少なくとも前記シート部材を被覆して前記カメラ本体に装着する外装部材と、を備え、前記外装部材を前記カメラ本体に装着した状態での前記外装部材の厚み方向の寸法であって、前記第１接続部の近傍に位置する前記外装部材の内壁の端部から、前記第２接続部の近傍に位置する前記外装部材の内壁までの最小寸法をＤ１ｍｉｎとし、前記第１接続部の近傍に位置する前記外装部材の内壁の端部から、前記周壁を被覆する前記外装部材の内壁までの最大寸法をＤ２ｍａｘとし、前記周壁を被覆する前記外装部材の内壁における、前記第１の面及び前記第２の面と交わる方向の最大寸法をＤ３ｍａｘとしたとき、下記の式を満足することを特徴とするカメラ。
【００１３】
Ｄ１ｍｉｎ＜Ｄ２ｍａｘ
Ｄ１ｍｉｎ＜Ｄ３ｍａｘ
Ｄ２ｍａｘ＜Ｄ３ｍａｘ
▲３▼第１の面及び該第１の面と対向する第２の面を略曲面で形成した周壁で接続し、前記第１の面と前記周壁との接続部である第１接続部、または前記第２の面と前記周壁との接続部である第２接続部の少なくとも一方より前記周壁の一部を突出させたカメラ本体に対して、前記第１接続部の近傍に一方の端部が位置する外装部材を装着して少なくとも前記周壁の一部を被覆するカメラの外装部材装着方法において、前記外装部材を前記カメラ本体に装着した状態での前記外装部材の厚み方向の寸法であって、前記第１接続部の近傍に位置する前記外装部材の内壁の端部から、前記第２接続部の近傍に位置する前記外装部材の内壁までの最小寸法をＤ１ｍｉｎとし、前記第１接続部の近傍に位置する前記外装部材の内壁の端部から、前記周壁を被覆する前記外装部材の内壁までの最大寸法をＤ２ｍａｘとし、前記周壁を被覆する前記外装部材の内壁における、前記第１の面及び前記第２の面と交わる方向の最大寸法をＤ３ｍａｘとしたとき、下記の式を満足し、
Ｄ１ｍｉｎ＜Ｄ２ｍａｘ
Ｄ１ｍｉｎ＜Ｄ３ｍａｘ
Ｄ２ｍａｘ＜Ｄ３ｍａｘ
前記外装部材の端部を前記第１接続部若しくはその近傍に突き当てて、前記外装部材を回転させ、前記カメラ本体に装着することを特徴とするカメラの外装部材装着方法。
【００１４】
【発明の実施の形態】
本発明のカメラに関する実施の形態を図を参照して詳細に説明する。
【００１５】
先ず、図１は前面側から見たカメラの斜視図である。なお、本発明におけるカメラとしては、レンズ付きフィルムユニット、フィルム交換可能なカメラ、若しくはデジタルカメラ等のどのようなカメラであってもよい。
【００１６】
図１において、１１はカメラ本体であり、各種の撮影機構を有していて、内部機構を被覆するカバー１１ａにより外装されている。１２はカメラを右手で保持し易くするためのグリップ部材（外装部材）であり、透明に形成され、カメラ本体１１のレリーズ釦１１ｂ側に装着されている。また、カメラ本体１１とグリップ部材１２との間には、所定の意匠を印刷等により施したシート部材１３が狭まれていて、透明なグリップ部材１２を透過してシート部材１３を視認することができる。
【００１７】
なお、カメラ本体１１において、前面右部には撮影レンズ１１ｃ、ファインダ窓１１ｄ、ストロボ発光部１１ｅが配置されている。
【００１８】
従って、図１に示すカメラは従来にない特異な意匠を有するグリップ部材１２を備えているばかりでなく、カメラ本体１１の形状を変えることなくカメラの意匠を変えたいときは、シート部材１３を異なる意匠のものに交換することにより簡単に異なる意匠のカメラに変えることができる。
【００１９】
図２はカメラ本体１１にグリップ部材１２を装着した状態のカメラの横断面図である。なお、図２及び後述の図３乃至図５においては、カメラ本体とグリップ部材のみを描き、本発明に無関係な部材は省略してある。
【００２０】
カメラ本体１１において、背面（第１の面若しくは第２の面）１１１及び撮影レンズ１１ｃ等が配置された前面（第２の面若しくは第１の面）１１２が対向しており、背面１１１及び前面１１２を曲面で形成した周壁１１３で接続している。そして、周壁１１３の一部が、背面１１１と周壁１１３との接続部である第１接続部１１１ａより後方に突出し、前面１１２と周壁１１３との接続部である第２接続部１１２ａより前方に突出している。
【００２１】
そして、シート部材１３が配置される部分の前面１１２及び周壁１１３は図の紙面垂直方向について直線に形成されているので、シート部材１３を前面１１２や周壁１１３に沿って曲折してカメラ本体１１に付着させ、カメラ本体１１にグリップ部材１２を装着したときシート部材１３を狭んで保持するようにしている。
【００２２】
このときには、グリップ部材１２の内壁の一方の端部１２ａが第１接続部１１１ａの近傍に位置している。
【００２３】
また、シート部材１３は紙材、樹脂材若しくはアルミ板等からなる薄板なので曲折自在であって、どのような形状にでもカメラ本体１１に密着して付着させることができる。
【００２４】
ここで、図２の如くカメラ本体１１にグリップ部材１２を装着したときのグリップ部材１２の厚み方向の寸法であって、第１接続部１１１ａの近傍に位置しているグリップ部材１２の内壁の一方の端部１２ａから、第２接続部１１２ａの近傍に位置しているグリップ部材１２の内壁までの最小寸法をＤ１ｍｉｎとする。
【００２５】
また、図２の如くカメラ本体１１にグリップ部材１２を装着したときのグリップ部材１２の厚み方向の寸法であって、第１接続部１１１ａの近傍に位置しているグリップ部材１２の内壁の一方の端部１２ａから、周壁１１３に付着したシート部材１３を被覆するグリップ部材１２の内壁までの寸法をＤ２とし、その最大寸法をＤ２ｍａｘとする。
【００２６】
更に、図２の如くカメラ本体１１にグリップ部材１２を装着したときのグリップ部材１２の厚み方向の寸法であって、グリップ部材１２の内壁における、背面１１１及び前面１１２とが交わる方向の最大寸法をＤ３ｍａｘとする。
【００２７】
すると、下記の不等式を満足することになる。
Ｄ１ｍｉｎ＜Ｄ２ｍａｘ
Ｄ１ｍｉｎ＜Ｄ３ｍａｘ
Ｄ２ｍａｘ＜Ｄ３ｍａｘ
このような寸法形状に構成されてシート部材１３が付着されたカメラ本体１１に対してグリップ部材１２を装着するときは、図３に示す如くグリップ部材１２を矢印方向に回転させて装着する。即ち、グリップ部材１２の内壁の一方の端部１２ａを、カメラ本体１１の第１接続部１１１ａの近傍に突き当てて、グリップ部材１２を反時計方向に回転させて装着する。このとき、グリップ部材１２の寸法Ｄ１ｍｉｎが寸法Ｄ２ｍａｘになるように、即ち、寸法Ｄ１ｍｉｎと寸法Ｄ２ｍａｘとの差分だけグリップ部材１２を弾性変形させて、一方の端部１２ａと他方の端部１２ｂとを開きながら回転して装着する。
【００２８】
また、他方の端部１２ｂには係止爪１２ｃが設けられていて、カメラ本体１１には係止孔１１ｆが設けられている。グリップ部材１２の装着時には図２の如く係止爪１２ｃが係止孔１１ｆに略正面から向かって移動して係止する。従って、グリップ部材１２の端部１２ｂがカメラ本体１１より浮き上がって見苦しくなることがない。
【００２９】
なお、図４に示す如く、グリップ部材１２をカメラ本体１１の右側方から（矢印方向）押圧して装着する方法も考えられるが、グリップ部材１２の寸法Ｄ１ｍｉｎが寸法Ｄ３ｍａｘになるように、即ち、寸法Ｄ１ｍｉｎと寸法Ｄ３ｍａｘとの寸法差分だけグリップ部材１２を弾性変形させなければ装着できない。前述の如くＤ３ｍａｘはＤ２ｍａｘより大きいので、図３の如くグリップ部材１２を回転させるときより、図４の場合はグリップ部材１２を大きく変形させることになる。グリップ部材１２が樹脂成型されたものとすると、グリップ部材１２はある程度の弾性変形が可能であるが、各寸法の設定値によってはグリップ部材１２は弾性変形の限度を超えて塑性変形し、装着後に元の形状に復帰しないことがある。このようなことになると、グリップ部材１２の他方の端部１２ｂ側がカメラ本体１１の前面１１２より浮いてしまって、非常に見苦しい状態になってしまう。
【００３０】
また、この問題は寸法Ｄ１ｍｉｎと寸法Ｄ３ｍａｘとの寸法差が大きいほど生ずるので、この寸法差を小さく設定すればよいのであるが、グリップとしてカメラを保持し易い機能を維持するためには、ある程度の寸法差が必要になる。
【００３１】
また、装着後にグリップ部材１２が塑性変形しないとしても、グリップ部材１２を回転させて装着するときより側方から押圧して装着するときの方がグリップ部材１２の変形量が大きいので、より強い力でグリップ部材１２を押し込んで装着しなければならない。また、グリップ部材１２をカメラ本体１１より取り外すときも、同様に回転させて取り外すときより側方に引き抜いて取り外すときの方がグリップ部材１２の変形量が大きいので、より強い力を必要とする。
【００３２】
更に、係止爪１２ｃが係止孔１１ｆに対して斜め方向から向かうので、円滑に係止し難くなる。このために、係止爪１２ｃを設けずに、カメラ本体１１に前面１１２と平行な方向に孔を設け、その孔にカメラ本体１１の端部１２ｂを挿入するような構成にすることになるが、カメラ本体１１に設けたこのような孔等は外部より視認できてしまうので、意匠的に受け入れられないことがあり得る。
【００３３】
しかし、グリップ部材１２を回転して装着すれば、このような問題は発生せず、簡単に装着することができるようになり、メーカーの生産現場のみならず、メーカーの販売部門や小売店等でもグリップ部材１２を簡単に装脱できるので、同じ仕様のカメラであっても種々の意匠のシート部材１３を準備しておき、シート部材１３を適宜交換して異なる意匠のカメラにすることができる。また、このようにグリップ部材１２を装脱してシート部材１３を交換する作業に関しては、場合によっては顧客に行ってもらって適宜好みの意匠のカメラにすることもできる。
【００３４】
なお、カメラ本体１１、グリップ部材１２及びシート部材１３の形状は図１乃至図４に示した形状に限定されるものではなく、上記の不等式を満足しているならば下記の如き種々の形状に変えてもよい。
【００３５】
・グリップ部材１２の端部１２ｂを撮影レンズ１１ｃ側に延長させずに、端部１２ａと同様に前面１１２の第２接続部１１２ａ近傍までの長さにしてもよい。
【００３６】
・カメラ本体１１の第１接続部１１１ａと第２接続部１１２ａとが、背面１１１及び前面１１２と直交する方向で同一線上になくてもよい。
【００３７】
・グリップ部材１２の端部をカメラ本体１１の第２接続部１１２ａの近傍に突き当てて、グリップ部材１２を時計方向に回転させて装着する構成にしてもよい。
【００３８】
・図５に示す如く、カメラ本体３１の周壁３１３を後方にのみ（前方のみでもよい）突出させ、寸法Ｄ１ｍｉｎ，Ｄ２ｍａｘ，Ｄ３ｍａｘが前述の不等式を満足するように、カメラ本体３１、グリップ部材３２及びシート部材３３を形成してもよい。なお、この場合は、背面３１１（第１の面）と周壁３１３との接続部が第１接続部３１１ａであり、前面３１２（第２の面）と周壁３１３との接続部が第２接続部３１２ａである。
【００３９】
・周壁１１３，３１３の全てを曲面で形成する必要はなく、部分的に平面があってもよい。
【００４０】
・グリップ部材１２をカメラ本体１１の左部（ファインダ窓１１ｄ側）に配置して、左手用グリップとしてもよい。
【００４１】
・グリップ部材１２はグリップのためでなく、単なる装飾用の外装部材であってもよい。
【００４２】
・シート部材１３を設けずに、カメラ本体１１に印刷等で意匠を直接施して、これを視認するよういにしてもよい。
【００４３】
・本発明の基本はグリップ部材１２の装着に関するものであるので、グリップ部材１２は必ずしも透明でなくてもよい。この場合はシート部材１３は不要である。
【００４４】
【発明の効果】
本発明によれば、カメラ本体における他の部所より厚みのある部所を潜り抜けて外装部材を装着するときに、外装部材を回転させて装着することで装着時の外装部材の変形量を小さくでき、外装部材が塑性変形し難く、外装部材を装着するカメラ本体の周壁をより厚くすることもできる。
【００４５】
また、外装部材を透明に形成し、カメラ本体に所定の意匠を施したシート部材を付着させたり、外装部材で被覆するカメラ本体の部所に所定の意匠を施したりすることによって、透明な外装部材を透過して内部の意匠を視認できる独自の意匠のカメラを形成することができる。
【図面の簡単な説明】
【図１】前面側から見たカメラの斜視図である。
【図２】カメラ本体にグリップ部材を装着した状態のカメラの横断面図である。
【図３】カメラ本体にグリップ部材を回転して装着する過程のカメラの横断面図である。
【図４】カメラ本体にグリップ部材を側方から押圧して装着する過程のカメラの横断面図である。
【図５】カメラ本体にグリップ部材を装着した状態の他の形態のカメラの横断面図である。
【符号の説明】
１１，３１  カメラ本体
１１１，３１１  背面
１１１ａ，３１１ａ  第１接続部
１１２，３１２  前面
１１２ａ，３１２ａ  第２接続部
１１３，３１３  周壁
１２，３２  グリップ部材
１２ａ，１２ｂ  端部
１３，３３  シート部材
【図１】
2004252136.tif 000003
【図２】
2004252136.tif 000004
【図３】
2004252136.tif 000005
【図４】
2004252136.tif 000006
【図５】
2004252136.tif 000007